(57)【要約】 実施形態による照明装置は、放熱体；前記放熱体の上に配置された光源部；前記放熱体と結合し、前記光源部の上に配置されたドーム部と前記ドーム部を支持する本体部とを有するカバー；及び、前記本体部に配置され、前記光源部からの光のうち一部が通過する開口を有する反射板；を含む。
2014526774.tif 000002
【特許請求の範囲】
【請求項１】
放熱体と、
前記放熱体の上に配置された光源部と、
前記放熱体と結合し、前記光源部の上に配置されたドーム部と前記ドーム部を支持する本体部とを有するカバーと、
前記本体部に配置され、前記光源部からの光のうち一部が通過する開口を有する反射板と、
を含む照明装置。
【請求項２】
前記本体部は、上部開口と下部開口を有し、
前記反射板は、前記上部開口に配置された、請求項１に記載の照明装置。
【請求項３】
前記本体部は、上側部と下側部を有し、
前記ドーム部は、前記上側部に結合した、請求項１に記載の照明装置。
【請求項４】
前記カバーの本体部は円筒形状を有する、請求項１に記載の照明装置。
【請求項５】
前記カバーの本体部は、
前記放熱体と結合する第２本体部と、
前記第２本体部の上に配置され、前記反射板が配置された第１本体部と、を含み、
前記第２本体部は上部開口と下部開口を有し、前記第２本体部の下部開口の直径は、前記第２本体部の上部開口の直径より小さい、請求項１に記載の照明装置。
【請求項６】
前記第１本体部は上部開口と下部開口を有し、前記第１本体部の上部開口の直径と前記第１本体部の下部開口の直径の差は５％以内である、請求項５に記載の照明装置。
【請求項７】
前記反射板は、前記第１本体部の上部開口に配置された、請求項６に記載の照明装置。
【請求項８】
前記第１本体部は、上側部から下側部に行くほど直径が一定の円筒であり、
前記第２本体部は、上側部から下側部に行くほど直径が小さくなる円筒である、請求項５に記載の照明装置。
【請求項９】
前記第１本体部の最大直径は、前記放熱体の最大直径より大きい、請求項５に記載の照明装置。
【請求項１０】
前記反射板の開口は、前記反射板の中央に形成され、
前記反射板は、前記開口の周囲に形成された複数の穴をさらに有する、請求項１に記載の照明装置。
【請求項１１】
前記穴は前記開口より小さい、請求項１０に記載の照明装置。
【請求項１２】
前記放熱体は、
前記光源部が配置される配置部と、
前記カバーの本体部と結合するガイド部と、
前記配置部と前記ガイド部との間に形成されて前記カバーの本体部が配置される溝と、
を含む、請求項１に記載の照明装置。
【請求項１３】
前記光源部は、前記放熱体の配置部に配置される基板と前記基板上に配置された発光素子とを含み、
前記放熱体の配置部は、前記基板をガイドするガイダーを含む、請求項１２に記載の照明装置。
【請求項１４】
前記放熱体は収納部を有し、
前記照明装置は、前記放熱体の収納部に配置されて前記光源部と電気的に連結される回路部と、
前記回路部が配置されて前記放熱体の収納部に配置される内部ケースと、
をさらに含む、請求項１に記載の照明装置。
【請求項１５】
前記内部ケースと結合し、前記内部ケースとともに前記回路部を覆うホルダー、をさらに含む、請求項１４に記載の照明装置。
【請求項１６】
一面を有する放熱体と、
前記放熱体の一面上に配置された基板及び前記基板上に配置された発光素子を含む光源部と、
前記光源部の上に配置され、前記放熱体と結合するカバーと、
前記カバーの内部に配置され、前記光源部からの光を反射して、前記光源部からの光のうち一部を通過させる穴を有する反射板と、
を含む、照明装置。
【請求項１７】
前記反射板の穴は、
前記反射板の中央に形成された第１穴と、前記第１穴の周囲に形成された第２穴とを含み、
前記第１穴の直径は前記第２穴の直径より大きい、請求項１６に記載の照明装置。
【請求項１８】
前記カバーは、
半球形状の上端部と、
前記上端部の下に配置され、前記光源部を囲む下端部と、を含み、
前記反射板は、前記下端部の内部に配置された、請求項１６に記載の照明装置。
【請求項１９】
前記下端部は、
前記上端部と結合した第１下端部と、
前記第１下端部の下に配置され、前記放熱体と結合する第２下端部と、を含み、
前記第２下端部の最小直径は、前記第１下端部の最小直径より小さい、請求項１８に記載の照明装置。
【請求項２０】
前記放熱体の一面は円形の面であり、
前記円形の面の径は、前記第１下端部の最小直径より小さい、請求項１９に記載の照明装置。
【発明の詳細な説明】
【技術分野】
【０００１】
実施形態は、照明装置に関する。
【背景技術】
【０００２】
発光ダイオード（ＬＥＤ）は、電気エネルギーを光に変換する半導体素子の一種である。発光ダイオードは、蛍光灯、白熱灯などの従来の光源に比べて、低消費電力、半永久的な寿命、素早い応答速度、安全性、環境にやさしいという長所を有する。そこで、従来の光源を発光ダイオードに代替するための多くの研究が進められており、発光ダイオードは、室内外で用いられる各種ランプ、液晶表示装置、電光板、街灯などの照明装置の光源として使用が増加する傾向にある。
【発明の概要】
【発明が解決しようとする課題】
【０００３】
実施形態の目的は、後方配光特性を有する照明装置を提供することにある。
【０００４】
また、暗部を除去することができる照明装置を提供することにある。
【０００５】
また、エネルギースター規格を満たす照明装置を提供することにある。
【課題を解決するための手段】
【０００６】
実施形態による照明装置は、放熱体；前記放熱体の上に配置された光源部；前記放熱体と結合し、前記光源部の上に配置されたドーム部と前記ドーム部を支持する本体部とを有するカバー；及び、前記本体部に配置され、前記光源部からの光のうち一部が通過する開口を有する反射板；を含む。
【０００７】
ここで、前記本体部は、上部開口と下部開口を有し、前記反射板は、前記上部開口に配置され得る。
【０００８】
ここで、前記本体部は、上側部と下側部を有し、前記ドーム部は、前記上側部に結合し得る。
【０００９】
ここで、前記カバーの本体部は円筒形状を有し得る。
【００１０】
ここで、前記カバーの本体部は、前記放熱体と結合する第２本体部；及び、前記第２本体部の上に配置され、前記反射板が配置された第１本体部；を含み、前記第２本体部は上部開口と下部開口を有し、前記第２本体部の下部開口の直径は、前記第２本体部の上部開口の直径より小さい。
【００１１】
ここで、前記第１本体部は上部開口と下部開口を有し、前記第１本体部の上部開口の直径と前記第１本体部の下部開口の直径の差は５％以内であり得る。
【００１２】
ここで、前記反射板は、前記第１本体部の上部開口に配置され得る。
【００１３】
ここで、前記第１本体部は、上側部から下側部に行くほど直径が一定の円筒であり、前記第２本体部は、上側部から下側部に行くほど直径が小さくなる円筒であり得る。
【００１４】
ここで、前記第１本体部の最大直径は、前記放熱体の最大直径より大きい。
【００１５】
ここで、前記反射板の開口は、前記反射板の中央に形成され、前記反射板は、前記開口の周囲に形成された複数の穴をさらに有し得る。
【００１６】
ここで、前記穴は前記開口より小さい。
【００１７】
ここで、前記放熱体は、前記光源部が配置される配置部；前記カバーの本体部と結合するガイド部；及び、前記配置部と前記ガイド部との間に形成されて前記カバーの本体部が配置される溝；を含み得る。
【００１８】
ここで、前記光源部は、前記放熱体の配置部に配置される基板と前記基板上に配置された発光素子とを含み、前記放熱体の配置部は、前記基板をガイドするガイダーを含み得る。
【００１９】
ここで、前記放熱体は収納部を有し、前記照明装置は、前記放熱体の収納部に配置されて前記光源部と電気的に連結される回路部；及び、前記回路部が配置されて前記放熱体の収納部に配置される内部ケース；をさらに含み得る。
【００２０】
ここで、前記内部ケースと結合し、前記内部ケースとともに前記回路部を覆うホルダー；をさらに含み得る。
【００２１】
実施形態による照明装置は、一面を有する放熱体；前記放熱体の一面上に配置された基板及び前記基板上に配置された発光素子を含む光源部；前記光源部の上に配置され、前記放熱体と結合するカバー；及び、前記カバーの内部に配置され、前記光源部からの光を反射して、前記光源部からの光のうち一部を通過させる穴を有する反射板；を含み得る。
【００２２】
ここで、前記反射板の穴は、前記反射板の中央に形成された第１穴と、前記第１穴の周囲に形成された第２穴とを含み、前記第１穴の直径は前記第２穴の直径より大きい。
【００２３】
ここで、前記カバーは、半球形状の上端部；及び、前記上端部の下に配置され、前記光源部を囲む下端部；を含み、前記反射板は、前記下端部の内部に配置され得る。
【００２４】
ここで、前記下端部は、前記上端部と結合した第１下端部；及び、前記第１下端部の下に配置され、前記放熱体と結合する第２下端部；を含み、前記第２下端部の最小直径は、前記第１下端部の最小直径より小さい。
【００２５】
ここで、前記放熱体の一面は円形の面であり、前記円形の面の径は、前記第１下端部の最小直径より小さい。
【発明の効果】
【００２６】
実施形態による照明装置を使用すると、後方配光特性を有するという利点がある。
【００２７】
また、暗部を除去することができるという利点がある。
【００２８】
また、エネルギースター規定を満たすことができるという利点がある。
【図面の簡単な説明】
【００２９】
【図１】第１実施形態による照明装置の斜視図である。
【図２】図１に示された照明装置を下から見た斜視図である。
【図３】図１に示された照明装置の分解斜視図である。
【図４】図２に示された照明装置の分解斜視図である。
【図５】図１ないし図４に示された実施形態による照明装置のカバー内部での光の移動を説明するための図面である。
【図６】図１ないし図４に示された照明装置の光度分布ダイアグラムである。
【図７】他の実施形態による照明装置の斜視図である。
【図８】図７に示された照明装置の分解斜視図である。
【図９】図７に示された照明装置のカバーと反射板の断面図である。
【図１０】図７ないし図８に示された照明装置の光度分布ダイアグラムである。
【図１１】図１ないし図４に示された照明装置と図７ないし図８に示された照明装置の反射板の変形例の斜視図である。
【図１２】図１１に示された反射板を有する図７ないし図８に示された照明装置の光度分布ダイアグラムである。
【発明を実施するための形態】
【００３０】
図面において各層の厚さや大きさは、説明の便宜及び明確性のために誇張されるか、省略されるか、又は概略的に示された。また、各構成要素の大きさは、実際の大きさを全体的に反映するものではない。
【００３１】
実施形態の説明において、いずれか一つのエレメント（ｅｌｅｍｅｎｔ）が他のエレメントの「上又は下（ｏｎ ｏｒ ｕｎｄｅｒ）」に形成されるものと記載される場合において、上又は下（ｏｎ ｏｒ ｕｎｄｅｒ）は、二つのエレメントが互いに直接（ｄｉｒｅｃｔｌｙ）接触するか、又は一つ以上の別のエレメントが前記二つのエレメントの間に配置されて（ｉｎｄｉｒｅｃｔｌｙ）形成されることを全て含む。また、「上又は下（ｏｎ ｏｒ ｕｎｄｅｒ）」と表現される場合、一つのエレメントを基準として上側方向だけではなく下側方向の意味も含まれる。
【００３２】
以下、添付された図面を参照して実施形態による照明装置を説明する。
【００３３】
図１は、実施形態による照明装置の斜視図であり、図２は、図１に示された照明装置を下から見た斜視図であり、図３は、図１に示された照明装置の分解斜視図であり、図４は、図２に示された照明装置の分解斜視図である。
【００３４】
図１ないし図４を参照すると、実施形態による照明装置は、カバー１００、反射板２００、光源部３００、放熱体４００、回路部５００、内部ケース６００、及びソケット７００を含み得る。以下で、各構成要素を具体的に説明することにする。
【００３５】
カバー１００は光源部３００の上に配置され、反射体２００を内部に収納し得る。
【００３６】
カバー１００は、本体部１１０とドーム部１３０を含み得る。ここで、本体部１１０はカバー１００の下端部であり、ドーム部１３０はカバー１００の上端部であり得る。
【００３７】
本体部１１０は円筒形状であり得る。ここで、円筒形状は幾何学的に完璧な円筒だけでなく、上部開口が下部開口より大きかったり、上部開口が下部開口より小さい円筒も含む。以下、本体部１１０を円筒部と仮定して説明することにする。
【００３８】
円筒部１１０は、光源部３００を囲むように放熱体４００の上に配置される。円筒部１１０は放熱体４００と結合し得る。
【００３９】
円筒部１１０は上部開口と下部開口を有する。上部開口は円筒部１１０の上側部によって定義され、下部開口は円筒部１１０の下側部によって定義され得る。
【００４０】
円筒部１１０の上部開口にはドーム部１３０が配置される。すなわち、円筒部１１０の上側部はドーム部１３０と結合する。
【００４１】
円筒部１１０の下部開口には放熱体４００が配置される。すなわち、円筒部１１０の下側部は放熱体４００と結合する。
【００４２】
ドーム部１３０は円筒部１１０と結合する。具体的に、ドーム部１３０は、円筒部１１０の上部開口を塞ぐように円筒部１１０の上側部に連結される。
【００４３】
ドーム部１３０は半球形状を有し得る。ここで、半球形状は幾何学的に完璧な半球だけでなく、曲率が完璧な半球より大きい半球、又は、曲率が完璧な半球より小さい半球も含む。
【００４４】
カバー１００は放熱体４００と結合する。カバー１００と放熱体４００の結合によって、反射板２００と光源部３００は外部から密閉される。
【００４５】
カバー１００と放熱体４００は、カバー１００の円筒部１１０の下側部が、放熱体４００のガイド部４５０の連結によって結合され得る。または、カバー１００と放熱体４００の結合は、接着剤を通じて結合することもでき、回転結合方式及びフック結合方式など多様な方式で結合することができる。回転結合方式は、放熱体４００のねじ溝にカバー１００のねじ山が結合する方式で、カバー１００の回転によってカバー１００と放熱体４００が結合する方式であり、フック結合方式は、カバー１００の突起が放熱体４００の溝に嵌ってカバー１００と放熱体４００が結合する方式である。
【００４６】
カバー１００は、光源部３００と光学的に結合する。具体的に、カバー１００は、光源部３００の発光素子３３０からの光を拡散、散乱又は励起させることができる。ここで、カバー１００は、発光素子３３０からの光を励起させるために、内・外面又は内部に蛍光体を有し得る。
【００４７】
カバー１００の内面には乳白色の塗料がコーティングされ得る。ここで、乳白色の塗料は、光を拡散させる拡散剤を含み得る。
【００４８】
カバー１００の内面の表面粗さは、カバー１００の外面の表面粗さより大きい。これは、光源部３００からの光を十分に散乱及び拡散させるためである。
【００４９】
カバー１００の材質は、ガラス（ｇｌａｓｓ）、プラスチック、ポリプロピレン（ＰＰ）、ポリエチレン（ＰＥ）、ポリカーボネート（ＰＣ）などであり得る。ここで、ポリカーボネートは、耐光性、耐熱性、強度に優れている。
【００５０】
カバー１００は、外部から光源部３００と反射板２００が見える透明な材質であってもよく、見えない不透明な材質であってもよい。
【００５１】
カバー１００は、円筒部１１０とドーム部１３０を別個に射出成形し、両者を結合して形成されたものであってもよく、又は、一体で形成されたものであってもよい。
【００５２】
反射板２００は、光源部３００からの光を反射する。このために反射板２００は所定の反射率を有する。ここで、反射板２００の反射率は９０％以上９９％以下であり得る。反射板２００は、アルミニウム板又は銀（Ａｇ）が表面に蒸着した一般的な板であり得る。
【００５３】
反射板２００は、円形又は多角形の板形状を有し、板の中央に所定の穴２１０を有する。前記穴２１０を通じて光源部３００からの光の一部がドーム部１３０に直接進み得る。
【００５４】
反射板２００はカバー１００に配置される。反射板２００は、カバー１００の円筒部１１０内部に収納されるように配置され得る。反射板２００は、円筒部１１０の上側部又は中間部に配置され得る。
【００５５】
反射板２００の最大直径は、円筒部１１０の直径と対応され得る。特に、反射板２００が円筒部１１０の上側部に固定されるため、反射板２００は円筒部１１０の上部開口に対応する大きさを有し得る。
【００５６】
反射板２００は、光源部３００の発光素子３３０からの光のうち、一部を反射し、一部を通過させる。光の通過は、反射板２００の開口２１０を介してなされる。特に、反射板２００は、発光素子３３０から入射される光を円筒部１１０の内面方向に反射する。したがって、円筒部１１０に入射される光は円筒部１１０を通過して実施形態による照明装置の後方配光が可能になる。
【００５７】
光源部３００は放熱体４００に配置される。具体的に、光源部３００は、放熱体４００の配置部４１０に配置され得る。
【００５８】
光源部３００は、複数で放熱体４００に配置され得る。図３及び図４では、２つの光源部３００が放熱体４００の配置部４１０に配置されたものとして示されているが、これに限定される訳ではなく、３以上の光源部３００が放熱体４００に配置され得る。光源部３００の個数は実施形態による照明装置の電力Ｗにより変わる。
【００５９】
光源部３００は、基板３１０と発光素子３３０を含み得る。
【００６０】
基板３１０は、放熱体４００の配置部４１０の上に配置される。基板３１０は、配置部４１０のガイダー４１５によってガイドされ得る。
【００６１】
基板３１０は、四角形の板形状を有し得る。しかし、これに限定されず、多様な形態を有し得る。例えば、円形又は多角形の板形状であり得る。基板３１０は、絶縁体に回路パターンが印刷されたものであり、例えば、一般の印刷回路基板（ＰＣＢ：Ｐｒｉｎｔｅｄ Ｃｉｒｃｕｉｔ Ｂｏａｒｄ）、メタルコア（Ｍｅｔａｌ Ｃｏｒｅ）ＰＣＢ、フレキシブル（Ｆｌｅｘｉｂｌｅ）ＰＣＢ、セラミックＰＣＢなどを含み得る。また、印刷回路基板の上にパッケージしないＬＥＤチップを直接ボンディングすることができるＣＯＢ（Ｃｈｉｐｓ Ｏｎ Ｂｏａｒｄ）タイプを用いることができる。また、基板３１０は光を効率的に反射する材質で形成されたり、表面が光を効率的に反射するカラー、例えば、白色、銀色などで形成され得る。
【００６２】
基板３１０の表面は、光を効率的に反射する材質でコーティングされたり、カラー、例えば、白色、銀色などでコーティングされ得る。
【００６３】
基板３１０は、放熱体４００に収納される回路部５００と電気的に連結される。基板３１０と回路部５００は、ワイヤー（ｗｉｒｅ）を通じて連結され得る。ワイヤーは、放熱体４００を貫通して基板３１０と回路基板５１０を電気的に連結することができる。
【００６４】
発光素子３３０は、基板３１０の一面上に複数で配置される。発光素子３３０の上には反射板２００とカバー１００が配置される。
【００６５】
発光素子３３０は、赤色、緑色、青色の光を放出する発光ダイオードチップであるか、ＵＶを放出する発光ダイオードチップであり得る。ここで、発光ダイオードチップは、水平型（Ｌａｔｅｒａｌ Ｔｙｐｅ）又は垂直型（Ｖｅｒｔｉｃａｌ Ｔｙｐｅ）であり、発光ダイオードチップは、青色（Ｂｌｕｅ）、赤色（Ｒｅｄ）、黄色（Ｙｅｌｌｏｗ）、又は、緑色（Ｇｒｅｅｎ）を発散し得る。
【００６６】
発光素子３３０は蛍光体を有し得る。蛍光体は、ガーネット（Ｇａｒｎｅｔ）系（ＹＡＧ、ＴＡＧ）、シリケート（Ｓｉｌｉｃａｔｅ）系、ナイトライド（Ｎｉｔｒｉｄｅ）系、及びオキシナイトライド（Ｏｘｙｎｉｔｒｉｄｅ）系の何れか一つ以上であり得る。又は、蛍光体は、黄色蛍光体、緑色蛍光体、及び赤色蛍光体の何れか一つ以上であり得る。
【００６７】
放熱体４００はカバー１００と結合し、光源部３００からの熱を放熱する。
【００６８】
放熱体４００は配置部４１０を有する。配置部４１０の一面上には一つ以上の光源部３００が配置される。
【００６９】
配置部４１０は光源部３００の基板３１０を固定し、基板３１０の位置を予め決定するガイダー４１５を有し得る。ガイダー４１５は、基板３１０の少なくとも二つの側面と接触するように配置部４１０から上に突出した‘┐’字状を有し得る。しかし、これに限定せず、基板の形状により多様な形状を有し得る。
【００７０】
配置部４１０は、ベース部４３０から上に突出したものであり得る。
【００７１】
放熱体４００はベース部４３０を有し得る。ベース部４３０は、配置部４１０と所定の段差を有する。すなわち、ベース部４３０は、配置部４１０の下に配置される。ベース部４３０は、配置部４１０とガイド部４５０との間に配置される。ベース部４３０は、配置部４１０とガイド部４５０より下に配置される。したがって、配置部４１０とガイド部４５０との間には所定の溝が形成され得る。前記溝にカバー１００の円筒部１１０の下側部が挿入される。ベース部４３０の直径は、カバー１００の円筒部１１０の下部開口と対応し得る。
【００７２】
放熱体４００はガイド部４５０を有し得る。ガイド部４５０は、カバー１００の円筒部１１０の下側部と結合し得る。
【００７３】
放熱体４００は放熱フィン４７０を有する。放熱フィン４７０は、放熱体４００の側面に複数で配置され得る。
【００７４】
放熱フィン４７０は、放熱体４００の側面から外側に延びたものであったり、側面から内部に掘られた二つの溝の間によるものであり得る。
【００７５】
放熱フィン４７０は、放熱体４００の放熱面積を広げて放熱効率を向上させることができる。
【００７６】
放熱体４００は収納部４９０を有する。収納部４９０には回路部５００と内部ケース６００が収納される。収納部４９０は、放熱体４００の一面から内部に掘られたキャビティーであり得る。収納部４９０は、内部ケース６００の収納部６１０の形状に対応するケビティーを有し得る。
【００７７】
放熱体４００は、アルミニウム（Ａｌ）、ニッケル（Ｎｉ）、銅（Ｃｕ）、マグネシウム（Ｍｇ）、銀（Ａｇ）、錫（Ｓｎ）などと前記金属の合金であり得る。又は、熱伝導性を有する熱伝導性プラスチックであり得る。熱伝導性プラスチックは金属より重さが軽く、単方向性の熱伝導性を有する利点がある。
【００７８】
回路部５００は外部から電源の提供を受けて、提供された電源を光源部３００に合うように変換する。変換された電源を光源部３００に供給する。
【００７９】
回路部５００は放熱体４００に配置される。具体的に、回路部５００は内部ケース６００に収納され、内部ケース６００とともに放熱体４００の収納部４９０に収納される。
【００８０】
回路部５００は、回路基板５１０と回路基板５１０の上に載置される多数の部品５３０を含み得る。
【００８１】
回路基板５１０は四角板の形状を有するが、これに限定されず、多様な形態を有し得る。例えば、円形、楕円形又は多角形の板形状であり得る。このような回路基板５１０は、絶縁体に回路パターンが印刷されたものであり得る。
【００８２】
回路基板５１０は、光源部３００の基板３１０と電気的に連結される。回路基板５１０と基板３１０の電気的連結はワイヤー（ｗｉｒｅ）を通じて連結され得る。ワイヤーは、放熱体４００の内部に配置されて回路基板５１０と基板３１０を連結することができる。
【００８３】
多数の部品５３０は、例えば、外部電源から提供される交流電源を直流電源に変換する直流変換装置、光源部３００の駆動を制御する駆動チップ、光源部３００を保護するためのＥＳＤ（ＥｌｅｃｔｒｏＳｔａｔｉｃ Ｄｉｓｃｈａｒｇｅ）保護素子などを含み得る。
【００８４】
内部ケース６００は、内部に回路部５００を収納する。内部ケース６００は、回路部５００を収納するために収納部６１０を有し得る。収納部６１０は円筒形状を有し得る。収納部６１０の形状は、放熱体４００の収納部４９０の形状に対応し得る。
【００８５】
内部ケース６００は放熱体４００に収納される。内部ケース６００の収納部６１０は、放熱体４００の収納部４９０に収納される。
【００８６】
内部ケース６００はソケット７００と結合する。内部ケース６００は、ソケット７００と結合する連結部６３０を有し得る。連結部６３０は、ソケット７００のねじ溝構造と対応するねじ山構造を有し得る。
【００８７】
内部ケース６００は不導体である。したがって、回路部５００と放熱体４００との間の電気的短絡を防ぐ。このような内部ケース６００は、プラスチック又は樹脂材質であり得る。
【００８８】
ここで、実施形態による照明装置は、回路部５００を放熱体４００から絶縁させるために、内部ケース６００と結合するホルダー８００をさらに含み得る。
【００８９】
ホルダー８００は、内部ケース６００の収納部６１０を密閉する密閉板８１０を有する。
【００９０】
ホルダー８００は、回路基板５１０と基板４１０を電気的に連結するワイヤー（ｗｉｒｅ）を取り囲むキャップ部８３０を有する。キャップ部８３０は密閉板８１０に配置され得る。
【００９１】
ホルダー８００は、内部ケース６００の収納部６１０と結合するための、係止突起８５０を有し得る。係止突起８５０は、内部ケース６００の収納部６１０に配置された係止溝６１５と結合する。係止突起８５０と係止溝６１５によりホルダー８００と内部ケース６００は強固に結合し得る。
【００９２】
ソケット７００は内部ケース６００と結合する。具体的に、ソケット７００は、内部ケース６００の連結部６３０と結合する。
【００９３】
ソケット７００は、従来の白熱電球のような構造を有し得る。回路部５００とソケット７００は電気的に連結される。回路部５００とソケット７００の電気的連結はワイヤー（ｗｉｒｅ）を通じて連結され得る。したがって、ソケット７００に外部電源が印加されれば、外部電源は回路部５００に伝達され得る。
【００９４】
ソケット７００は、連結部６３０のねじ山構造と対応するねじ溝構造を有し得る。
【００９５】
図５は、図１ないし図４に示された実施形態による照明装置のカバー１００内部での光の移動を説明するための図面である。
【００９６】
図５を参照すると、光源部の発光素子３３０からの光のうち、一部は反射板２００の開口２１０を通過してドーム部１３０に達し、残りの一部は反射板２００に反射してカバーの円筒部１１０に入射されることを示している。ここで、円筒部１１０に入射される光は、円筒部１１０の上側部から円筒部１１０の下側部方向に傾斜するように入射されるので、実施形態による照明装置は、後方配光が可能であるという利点を有する。
【００９７】
図６は、図１ないし図４に示された照明装置の光度分布ダイアグラムである。
【００９８】
図６を参照すると、１３０度と１８０度間における光束（ｌｕｍｅｎ）が全体光束の１０％を上回ることが確認できる。したがって、実施形態による照明装置は、エネルギースター規格を満たすことが確認できる。
【００９９】
図７ないし図８は、他の実施形態による照明装置を説明するための図面である。
【０１００】
図７は、他の実施形態による照明装置の斜視図であり、図８は、図７に示された照明装置の分解斜視図である。
【０１０１】
図７ないし図８に示された照明装置は、図１ないし図４に示された照明装置の回路部５００、内部ケース６００、ソケット７００、及びホルダー８００を有し得る。これに対する説明は、先に上述したので、具体的な説明は省略することにする。
【０１０２】
図７ないし図８に示された照明装置の構成要素のうち、図１ないし図４に示された照明装置と同一の構成要素は、図１ないし図４に示された照明装置の参照番号と同一の参照番号を使用し、それに対する具体的な説明は、先に説明したものに代えることにする。
【０１０３】
図７ないし図８に示された照明装置において、カバー１００’は、図１ないし図４に示されたカバー１００と相違する。以下、具体的に図９を参照して説明することにする。
【０１０４】
図９は、図７に示された照明装置のカバー１００’と反射板２００の断面図である。
【０１０５】
図７ないし図９を参照すると、カバー１００’は本体部１１０’とドーム部１３０’を含む。ここで、本体部１１０’はカバー１００’の下端部であり、ドーム部１３０’はカバー１００’の上端部と表現することもできる。
【０１０６】
本体部１１０’は円筒部であり得る。以下、本体部１１０’を円筒部と仮定して説明することにする。
【０１０７】
円筒部１１０’は、第１円筒部１１０ａ’と第２円筒部１１０ｂ’を含み得る。
【０１０８】
第１円筒部１１０ａ’と第２円筒部１１０ｂ’は円筒形状を有し、それぞれは上部開口と下部開口を有する。そして、それぞれは上部開口を定義する上側部と下部開口を定義する下側部を有する。
【０１０９】
第１円筒部１１０ａ’の下に第２円筒部１１０ｂ’が、第２円筒部１１０ｂ’の上に第１円筒部１１０ａ’が配置される。第１円筒部１１０ａ’の下側部は第２円筒部１１０ｂ’の上側部と連結され、第１円筒部１１０ａ’の下部開口は第２円筒部１１０ｂ’の上部開口と同じ直径を有する。
【０１１０】
第１円筒部１１０ａ’の上側部にはドーム部１３０’が配置される。ドーム部１３０’により第１円筒部１１０ａ’の上部開口は塞がる。
【０１１１】
第１円筒部１１０ａ’には反射板２００が配置される。もちろん、反射板２００は、第１円筒部１１０ａ’と第２円筒部１１０ｂ’との間のいずれか一つの位置に配置され得る。例えば、第１円筒部１１０ａ’と第２円筒部１１０ｂ’が出会う部分、第１円筒部１１０ａ’と第２円筒部１１０ｂ’との間の中間、又は、第１円筒部１１０ａ’及び第２円筒部１１０ｂ’それぞれの上側部、中間部、及び下側部に配置され得る。
【０１１２】
第１円筒部１１０ａ’と第２円筒部１１０ｂ’は、互いに異なる円筒形状であり得る。第１円筒部１１０ａ’は円筒形状であって上側部から下側部に行くほど直径が一定の円筒であり、第２円筒部１１０ｂ’は上側部から下側部に行くほど直径が小さくなる円筒であり得る。したがって、第２円筒部１１０ｂ’の最小直径は、第１円筒部１１０ａ’の最小直径より小さい。また、第１円筒部１１０ｂ’の最小直径は、光源部３００が配置される放熱体４００の円形の一面の径より大きい。ここで、放熱体４００の円形の一面の径は、最大で図３に示された放熱体４００の円形のガイド部４５０の径であってもよく、最小で図３に示された放熱体４００の円形の配置部４１０の径でもあってもよい。
【０１１３】
また、第１円筒部１１０ａ’は、下部開口と上部開口が同一の円筒であるか、上部開口の直径と下部開口の直径の差は５％以内であり、第２円筒部１１０ｂ’は、下部開口が上部開口より小さい円筒であり得る。もちろん、第１円筒部は下部開口が上部開口より小さい円筒であってもよく、第２円筒部は下部開口と上部開口が同一の円筒であるか、上部開口の直径と下部開口の直径の差は５％以内であってもよい。
【０１１４】
第２円筒部１１０ｂ’は所定の曲率を有し得る。すなわち、第２円筒部１１０ｂ’は、所定の屈曲を有する円筒面であり得る。
【０１１５】
第１円筒部１１０ａ’の最大直径は、放熱体４００の最大直径より大きくてもよい。第１円筒部１１０ａ’の最大直径が放熱体４００の最大直径より大きければ、他の実施形態による照明装置は、後方配光特性が向上し得る。
【０１１６】
ドーム部１３０’は円筒部１１０’の第１円筒部１１０ａ’と結合する。具体的に、ドーム部１３０’は、第１円筒部１１０ａ’の上部開口を塞ぐように第１円筒部１１０ａ’の上側部に連結される。
【０１１７】
ドーム部１３０’は半球形状を有する。ここで、半球形状は幾何学的に完璧な半球だけでなく、曲率が完璧な半球より大きい半球、又は、曲率が完璧な半球より小さい半球も含む。
【０１１８】
図７ないし図８に示された照明装置は、図１ないし図４に示された照明装置よりさらに多くの光源部３００を有する。これは、図７ないし図８に示された照明装置の電力Ｗが図１ないし図４に示された照明装置の電力Ｗより大きい。しかし、図７ないし図８に示された照明装置も図１ないし図４に示された照明装置と同様に２つの光源部３００を有し得る。
【０１１９】
図１０は、図７ないし図８に示された照明装置の光度分布ダイアグラムである。
【０１２０】
図１０を参照すると、１３０度と１８０度間における光束（ｌｕｍｅｎ）が全体光束の１０％を上回ることが確認できる。したがって、実施形態による照明装置は、エネルギースター規格を満たすことが確認できる。
【０１２１】
図１ないし図４に示された照明装置と図７ないし図８に示された照明装置は反射板２００を有する。
【０１２２】
ところで、前記反射板２００は反射率が高いため、実施形態による照明装置をターンオンさせた後、カバー１００，１００’のドーム部１３０，１３０’をみると、反射板２００によりドーム部１３０，１３０’に暗部が生じることがある。
【０１２３】
したがって、ドーム部１３０，１３０’の暗部を除去するために、図１ないし図４に示された照明装置と図７ないし図８に示された照明装置は、図１１に示された反射板２００’を有してもよい。
【０１２４】
図１１は、図１ないし図４に示された照明装置と図７ないし図８に示された照明装置の反射板の変形例の斜視図である。
【０１２５】
図１１を参照すると、反射板２００’は複数の穴２５０’をさらに有する。複数の穴２５０’は開口２１０を囲むように配置される。複数の穴２５０’は反射板２００’に広く広がって配置され得る。前記穴２５０’は開口２１０より小さくてもよい。
【０１２６】
反射板２００’は、ドーム部１３０，１３０’に密着して配置されないので、穴２５０’によってドーム部１３０，１３０’の暗部をある程度除去できる利点がある。
【０１２７】
図１２は、図１１に示された反射板を有する図７ないし図８に示された照明装置の光度分布ダイアグラムである。
【０１２８】
図１２を参照すると、１３０度と１８０度間における光束（ｌｕｍｅｎ）が全体光束の１０％を上回ることが確認できる。したがって、実施形態による照明装置は、エネルギースター規格を満たすだけでなく、反射板によるカバーの暗部を除去することができる。
【０１２９】
以上で、実施形態を中心に説明したが、これはただ例示にすぎず、本発明を限定するものではなく、本発明が属する技術分野の通常の知識を有する者であれば、本実施形態の本質的な特性を外れない範囲で、以上に例示されない様々な変形や応用が可能であることが分かるはずである。例えば、実施形態に具体的に示された各構成要素は、変形して実施することができるものである。そして、このような変形と応用に関係した相違点は、添付された請求の範囲で規定する本発明の範囲に含まれるものと解釈されるべきであるといえる。
【図１】
2014526774.tif 000003
【図２】
2014526774.tif 000004
【図３】
2014526774.tif 000005
【図４】
2014526774.tif 000006
【図５】
2014526774.tif 000007
【図６】
2014526774.tif 000008
【図７】
2014526774.tif 000009
【図８】
2014526774.tif 000010
【図９】
2014526774.tif 000011
【図１０】
2014526774.tif 000012
【図１１】
2014526774.tif 000013
【図１２】
2014526774.tif 000014
【手続補正書】
【提出日】平成26年3月10日(2014.3.10)
【手続補正１】
【補正対象書類名】特許請求の範囲
【補正対象項目名】全文
【補正方法】変更
【補正の内容】
【特許請求の範囲】
【請求項１】
放熱体と、
前記放熱体の上に配置された光源部と、
前記放熱体と結合し、前記光源部の上に配置されたドーム部と前記ドーム部を支持する本体部とを有するカバーと、
前記本体部に配置され、前記光源部からの光のうち一部が通過する開口を有する反射板と、を含み、
前記カバーの本体部は、前記カバーのドーム部と結合する上側部、前記放熱体と結合する下側部及び前記上側部と前記下側部との間に配置された中間部を含み、
前記反射板は、前記本体部の上側部又は前記本体部の中間部に配置された、照明装置。
【請求項２】
前記本体部は、前記本体部の上側部によって定義される上部開口と前記本体部の下側部によって定義される下部開口を有し、
前記反射板は、前記上部開口に配置された、請求項１に記載の照明装置。
【請求項３】
前記カバーの本体部は円筒形状を有する、請求項１又は２に記載の照明装置。
【請求項４】
前記カバーの本体部は、
前記放熱体と結合する第２本体部と、
前記第２本体部の上に配置され、前記反射板が配置された第１本体部と、を含み、
前記第２本体部は上部開口と下部開口を有し、前記第２本体部の下部開口の直径は、前記第２本体部の上部開口の直径より小さい、請求項１から３のいずれか１項に記載の照明装置。
【請求項５】
前記第１本体部は上部開口と下部開口を有し、前記第１本体部の上部開口の直径と前記第１本体部の下部開口の直径の差は５％以内である、請求項４に記載の照明装置。
【請求項６】
前記反射板は、前記第１本体部の上部開口に配置された、請求項５に記載の照明装置。
【請求項７】
前記第１本体部は、上側部から下側部に行くほど直径が一定の円筒であり、
前記第２本体部は、上側部から下側部に行くほど直径が小さくなる円筒である、請求項４から６のいずれか１項に記載の照明装置。
【請求項８】
前記第１本体部の最大直径は、前記放熱体の最大直径より大きい、請求項４から７のいずれか１項に記載の照明装置。
【請求項９】
前記反射板の開口は、前記反射板の中央に形成され、
前記反射板は、前記開口の周囲に形成された複数の穴をさらに有する、請求項１から８のいずれか１項に記載の照明装置。
【請求項１０】
前記穴は前記開口より小さい、請求項９に記載の照明装置。
【請求項１１】
前記放熱体は、
前記光源部が配置される配置部と、
前記カバーの本体部と結合するガイド部と、
前記配置部と前記ガイド部との間に形成されて前記カバーの本体部が配置される溝と、
を含む、請求項１から１０のいずれか１項に記載の照明装置。
【請求項１２】
前記光源部は、前記放熱体の配置部に配置される基板と前記基板上に配置された発光素子とを含み、
前記放熱体の配置部は、前記基板をガイドするガイダーを含む、請求項１１に記載の照明装置。
【請求項１３】
前記放熱体は収納部を有し、
前記照明装置は、前記放熱体の収納部に配置されて前記光源部と電気的に連結される回路部と、
前記回路部が配置されて前記放熱体の収納部に配置される内部ケースと、
をさらに含む、請求項１から１２のいずれか１項に記載の照明装置。
【請求項１４】
前記内部ケースと結合し、前記内部ケースとともに前記回路部を覆うホルダー、をさらに含む、請求項１３に記載の照明装置。
【国際調査報告】
2014526774.tif 000015
2014526774.tif 000016